(57)【要約】【課題】            従来、めざすホームページを見るためにはディレクトリーサービスかサーチエンジンの利用を能動的に行なうことが通常であり、そのため、常に新しいものを探している人や沢山のホームページを閲覧したい人あるいは幅広く情報を入手したい人等にとって、該当するホームページが存在しているにもかかわらず、それを実際に見ることができず、すごしてしまうことが多く、この状況を是正し、偶然性を伴いながら発見できるシステムは存在していなかったという点である。【解決手段】        ホームページのポータルエンジンはインターネットブラウザーにエンジンソフトのインターフェイス（トップページ）を表示させ、そのエンジンソフトをインターネットブラウザー上で起動させ、プレイを入力すると新たなブラウザーが表示されるとともに、前記プレイの入力で設定された時間ごとに次のページに無作為でジャンプ表示されていくこととする。【選択図】          図１
2008139976.tif 000002
【特許請求の範囲】
【請求項１】
インターネットブラウザーにエンジンソフトのインターフェイス（トップページ）を表示させ、そのエンジンソフトをインターネットブラウザー上で起動させ、プレイを入力すると新たなブラウザーが表示されるとともに、前記プレイの入力で設定された時間ごとに次のページに無作為でジャンプ表示されていくことを特徴とするインターネットのポータルエンジン。
【請求項２】
ユーザーは好みに応じて表示ページをカテゴリー別に登録することを可能としたことを特徴とする請求項１に記載のインターネットのポータルエンジン。
【請求項３】
カテゴリーを選択し、目的別に表示することを可能としたことを特徴とする請求項１または請求項２に記載のインターネットのポータルエンジン。
【請求項４】
前記したインターフェイスはコントローラの役割を担い、かつ、キーボードはこのコントローラと連動していることを特徴とする請求項１、請求項２または請求項３に記載のインターネットのポータルエンジン。
【請求項５】
ストップやバックの機能を有していることを特徴とする請求項１、請求項２、請求項３または請求項４に記載のインターネットのポータルエンジン。
【請求項６】
複数ページの同時表示と、その各々が操作、ジャンプ、ストップ、バック等を行なうことを可能としたことを特徴とする請求項１、請求項２、請求項３、請求項４または請求項５に記載のインターネットのポータルエンジン。
【発明の詳細な説明】
【技術分野】
【０００１】
本発明はインターネットのポータルエンジン、特に無検索のポータルエンジンに関する。
【背景技術】
【０００２】
一般的に、インターネットは電子メールの送受信のほか、ブラウザーを使ってホームページを見る作業に利用される。このブラウザーを使ってのホームページの閲覧は多くの場合、めざすホームページを探し出すため検索サービスが存在しており、そのサービス企業は自己のホームページを応募してもらい、複数のカテゴリーに分類整理して、利用者はこのサービス企業のサイトを訪れ、細かく区分されたものへたどっていくことで目指すサイトを見つけられる。これがディレクトリーサービスと呼ばれるものである。
【０００３】
また、このディレクトリーサービスとは別に世界中のあらゆるホームページをキーワード検索し、該当する文字を含むページの一覧を表示してくれる検索サービスもあり、この起動の元となるのがサーチエンジンである。
【０００４】
ホームページを閲覧しようとする者は必ずといって良いほどに上記した検索サービスを利用するので、いずれもが人気サイトとなり、そのアクセス数の多さを活かして広告を集め、加えて、ユーザーサービスとしてニュースやエンターテイメント情報等も提供することとなった。ここで、ブラウザー企業もユーザーを自社のホームページへ誘導できるという有利な地位を利用し、様々な情報の提供をはじめ、こうして浮上してきたのがポータルサイトというホームページのあり方である。
【０００５】
このポータルサイトは主として、ナビゲーション機能、コンテンツの拡充、コミュニティ作り、そしてエレクトロニックコマース等の特徴を備えている。
【０００６】
しかしながら、この従来のブラウザーを使用してのホームページの閲覧は常にユーザーが能動的にキーを操作し、検索を行なう必要があるため、ユーザーにとって提供される情報量は特定され、また、ネットサーフィン愛好者等にとって、自己にとって興味のあるホームページ等をその対応性から目に付くこともなく経過してしまうということも実際的には存在していた。
【特許文献１】出願人は本願発明について、先行する技術の調査を行なったが、格別に本願発明と関連し、あるいは類似すると思われる技術文献は発見することができなかった。
【発明の開示】
【発明が解決しようとする課題】
【０００７】
本発明が解決しようとする問題点は、従来、ホームページの閲覧にブラウザーを使用することは勿論であるが、めざすホームページを見るためにはディレクトリーサービスかサーチエンジンの利用を能動的に行なうことが通常であり、そのため、常に新しいものを探している人や沢山のホームページを閲覧したい人あるいは幅広く情報を入手したい人等にとって、該当するホームページが存在しているにもかかわらず、それを実際に見ることができず、すごしてしまうことが多く、この状況を是正し、偶然性を伴いながら発見できるシステムは存在していなかったという点である。
【課題を解決するための手段】
【０００８】
上記した問題点を解決するために、本発明に係るホームページのポータルエンジンはインターネットブラウザーにエンジンソフトのインターフェイス（トップページ）を表示させ、そのエンジンソフトをインターネットブラウザー上で起動させ、プレイを入力すると新たなブラウザーが表示されるとともに、前記プレイの入力で設定された時間ごとに次のページに無作為でジャンプ表示されていくことを特徴としている。
【０００９】
また、本発明に係るホームページのポータルエンジンはユーザーは好みに応じて表示ページをカテゴリー別に登録することを可能としたことを特徴とし、カテゴリーを選択し、目的別に表示することを可能としたことを特徴としている。
【００１０】
さらに、本発明に係るホームページのポータルエンジンは前記したインターフェイスはコントローラの役割を担い、かつ、キーボードはこのコントローラと連動していることを特徴とし、ストップやバックの機能を有していることを特徴とし、複数ページの同時表示と、その各々が操作、ジャンプ、ストップ、バック等を行なうことを可能としたことを特徴としている。
【発明の効果】
【００１１】
本発明に係るホームページのポータルエンジンは上記のように構成されている。そのため、ホームページの閲覧作業が従来のように検索するものという概念から、例えばテレビや雑誌を見るように情報を無作為に受け取るという概念に変革され、現存する多数のホームページを偶然性をもって見ることができ、自己に有益なものや興味をそそられるものを発見することができる。
【００１２】
そのため、ネットサーフィンをキーボードのタイピング作業を不要として実施でき、限定された時間内での閲覧可能とするホームページの数を飛躍的に増大できることとなり、カテゴリ別での表示も可能なため、ユーザーとして独自の辞書や参考文献の一種としての利用も可能となる。
【発明を実施するための最良の形態】
【００１３】
実施例として述べたように構成することで実現した。
【実施例１】
【００１４】
次に、本発明の好ましい実施の一例を図面を参照して説明する。図１は本発明を実施するについて使用されるインターフェイスの基本的な画面を示す図、図２は同じく横型とした場合の画面を示す図、図３はページ２を有する場合の画面を示す図である。
【００１５】
まず、図として示されるインターフェイスはポータルエンジンソフト（仮にＦｌｏｏｔｅｅと称する）のトップページであり、このインターフェイスは後述する動作のコントローラとしての役割も担うこととなる。インターネット利用の環境が整ったパーソナルコンピュータにあって、そのコンピュータに搭載されている任意のプログラムによって任意のインターネットブラウザーを立ち上げる。
【００１６】
インターネットを接続状態にして、前記したＦｌｏｏｔｅｅのインターネットにおけるアドレスを立ち上げたインターブラウザーに入力し、そのインターネットブラウザーにＦｌｏｏｔｅｅを表示させ、インターネットブラウザー上でこのＦｌｏｏｔｅｅを起動させる。
【００１７】
このＦｌｏｏｔｅｅのインターフェイスには閲覧を望む地域（国内、海外）の選択メニュー１と選択できるカテゴリー２が複数表示され、これをユーザーは任意に選択することもでき、ユーザーが気に入ったページをカテゴリー別に登録することができる。また、特定の人や企業が選択したブックマークを登録することも可能である。この選択、指定がなくとも後述するプレイ３でスタートさせることも勿論可能となる。
【００１８】
この表示されたＦｌｏｏｔｅｅのインターフェイスにおいて、前記したメニュー１やカテゴリー２の選択をし、プレイ３をクリック入力すると、新たなブラウザーが表われることとなり、このプレイ３の入力によって例えば数秒毎等の時間をおいて、次のページに無作為でジャンプしていくこととなる。この際、Ｆｌｏｏｔｅｅはそのまま残っている。
【００１９】
ここで、ストップ４をクリック入力すると、ブラウザーが次のページへジャンプすることを停止させ、そのページをじっくりと閲覧することが可能となる。
【００２０】
また、Ｆｌｏｏｔｅｅのインターフェイスは図１に示す正方形スタイルが基本的なものとなるが、オプションで図２に示す横長の矩形状とすることもでき、図３に示すように２ページ目を有するものとすることも可能であり、この２ページ目には特定のホームページアドレスを入力できる記入入力欄５を設けることもでき、前記したようにユーザーが気に入ったページをカテゴリー２毎に分類し、登録することも可能となる。
【００２１】
さらに、コンピュータに接続されているキーボードはＦｌｏｏｔｅｅのコントローラ、即ちインターフェイスと連動されており、例えばスペースキーを押すことでプレイ３、ストップ４の切り替えができるようにする等の構成をとることができる。
【００２２】
また、Ｆｌｏｏｔｅｅが表示されている使用中のインターネットブラウザー自身、あるいはバックの入力でブラウザーが直前に表示していたページに戻ることができる構成としてある。
【００２３】
さらに、ブラウザーが次のページにジャンプするスピードや、その変わる際の表示切り替え方式（例えば通常のカット、特殊なワイプ、ディゾルブ等）は自在に変更し、あるいは選択することを可能としている。
【００２４】
そして、表示されるページは複数を同時に行なうこと（ブラウザーの複数表示）も可能とし、その表示された各々のページのそれぞれを独立して操作し、ジャンプ、ストップ等させることも可能としている。
【００２５】
また、前記したインターフェイスにはバナーとして広告を掲載することも可能であり、その他、切り替わっていくページの合間に広告を入れたり、一定時間毎に広告を入れたり、特定のホームページを必ず表示していく機能を持たせることができる。
【００２６】
ブラウザーを閉じると初期のインターフェイスのみの表示となり、このインターフェイスを閉じるとストップ４の入力のようにブラウザーが次のページへジャンプすることをやめ、インターフェイス自体が閉じられることとなる。
【産業上の利用可能性】
【００２７】
本実施例に係るインターネットのポータルエンジンは上記のように構成され、作動するが、機能としてチャンネル数を増設することも可能で、インターネット自体を検索の概念から離れた受動的なものとした概念で見ることも可能となる。
【図面の簡単な説明】
【００２８】
【図１】本発明を実施するについて使用されるインターフェイスの基本的な画面を示す図である。
【図２】横型とした場合の画面を示す図である。
【図３】ページ２を有する場合の画面を示す図である。
【符号の説明】
【００２９】
１    メニュー
２    カテゴリー
３    プレイ
４    ストップ
５    記入入力欄
【図１】
2008139976.tif 000003
【図２】
2008139976.tif 000004
【図３】
2008139976.tif 000005